【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
ＩＰネットワークに接続された、呼制御および管理を行う呼制御管理情報処理装置、第１のＩＰ電話機、前記第１のＩＰ電話機に関連する第１の情報処理機器、第２のＩＰ電話機、および前記第２のＩＰ電話機に関連する第２の情報処理機器を含むシステムであって、
前記呼制御管理情報処理装置には前記第１と第２のＩＰ電話機および前記第１と第２の情報処理機器の各ＩＰアドレスが格納されており、
前記呼制御管理情報処理装置は、前記第１のＩＰ電話機から前記第２のＩＰ電話機との間のセッション確立を要求するメッセージを受信したとき、前記第１のＩＰ電話機との間のセッション確立を要求するメッセージを前記第２のＩＰ電話機に前記第２のＩＰ電話機のＩＰアドレスを用いて送信して、前記第１のＩＰ電話機と前記第２のＩＰ電話機の間にセッションを確立するものであり、
前記第１と第２のＩＰ電話機の間でセッションが確立されたとき、前記呼制御管理情報処理装置は、前記第２の情報処理機器のＩＰアドレスを前記第１の情報処理機器に前記第１の情報処理機器のＩＰアドレスを用いて通知し、前記第１の情報処理機器のＩＰアドレスを前記第２の情報処理機器に前記第２の情報処理機器のＩＰアドレスを用いて通知することを特徴とする、システム。
【請求項２】
前記第１の情報処理機器は、前記第２の情報処理機器のＩＰアドレスを受信したとき、前記第２の情報処理機器のＩＰアドレスを用いて前記第２の情報処理機器との間にピアツーピア・セッションを確立するものであることを特徴とする、請求項１に記載のシステム。
【請求項３】
前記第１の情報処理機器は、前記第２の情報処理機器のＩＰアドレスを受信した後、ユーザの操作に従って、前記第２の情報処理機器のＩＰアドレスを用いて前記第２の情報処理機器との間にピアツーピア・セッションを確立するものであることを特徴とする、請求項１に記載のシステム。
【請求項４】
前記第１のＩＰ電話機は、前記第１の情報処理機器によって接続されたとき前記第１の情報処理機器から前記第１の情報処理機器のＩＰアドレスを取得して前記呼制御管理情報処理装置に送信し、前記呼制御管理情報処理装置は前記第１の情報処理機器の前記ＩＰアドレスを保存し、
前記第２のＩＰ電話機は、前記第２の情報処理機器によって接続されたとき前記第２の情報処理機器から前記第２の情報処理機器のＩＰアドレスを取得して前記呼制御管理情報処理装置に送信し、前記呼制御管理情報処理装置は前記第２の情報処理機器の前記ＩＰアドレスを保存することを特徴とする、請求項１乃至３のいずれかに記載のシステム。
【請求項５】
ＩＰネットワークに接続されたＩＰ電話機であって、
前記ＩＰ電話機に対応づけられる特定の情報処理機器のＩＰアドレスの登録指示の入力を受け取ったことに応答して、前記ＩＰ電話機に対応づけられる前記特定の情報処理機器のＩＰアドレスを取得する手段と、
前記ＩＰネットワークを介して、呼を制御し管理する呼制御管理情報処理装置に接続して、前記特定の情報処理機器のＩＰアドレスを、前記呼制御管理情報処理装置に送信して、前記呼制御管理情報処理装置に前記ＩＰ電話機のユーザ識別子およびＩＰアドレスと対応づけて登録する手段と、
を具える、ＩＰ電話機。
【請求項６】
ＩＰネットワークを介して接続された第１のＩＰ電話機と第２のＩＰ電話機の間にセッションを確立し、前記ＩＰネットワークを介して接続された前記第１のＩＰ電話機に関連する第１の情報処理機器と前記第２のＩＰ電話機に関連する第２の情報処理機器との間にセッションを確立させる呼制御管理情報処理装置であって、
前記第１と第２のＩＰ電話機および前記第１と第２の情報処理機器のＩＰアドレスを、それぞれ前記第１と第２のＩＰ電話機のそれぞれ第１と第２のユーザ識別子と対応付けて格納する記憶手段と、
前記第１のＩＰ電話機から前記第２のＩＰ電話機の前記第２のユーザ識別子を受け取ったとき、前記第１と第２のユーザ識別子に基づいて、前記第２のＩＰ電話機と前記第１のＩＰ電話機との間のセッション確立を要求するメッセージを前記第２のＩＰ電話機に前記第２のＩＰ電話機のＩＰアドレスを用いて送信して、前記第１のＩＰ電話機と前記第２のＩＰ電話機の間にセッションを確立する手段と、
前記第１と第２のＩＰ電話機の間でセッションが確立されたとき、前記第２の情報処理機器のＩＰアドレスを前記第１の情報処理機器に前記第１の情報処理機器のＩＰアドレスを用いて通知し、前記第１の情報処理機器のＩＰアドレスを前記第２の情報処理機器に前記第２の情報処理機器のＩＰアドレスを用いて通知する手段と、
を具えることを特徴とする、呼制御管理情報処理装置。
【請求項７】
ＩＰネットワークに接続された呼制御管理情報処理装置用のプログラムであって、
第１のＩＰ電話機、前記第１のＩＰ電話機に関連する第１の情報処理機器、第２のＩＰ電話機、および前記第２のＩＰ電話機に関連する第２の情報処理機器の各ＩＰアドレスを、それぞれ前記第１と第２のＩＰ電話機のそれぞれ第１と第２のユーザ識別子と対応付けて記憶手段に格納するステップと、
前記第１のＩＰ電話機から前記第２のＩＰ電話機の前記第２のユーザ識別子を受け取ったとき、前記第１と第２のユーザ識別子に基づいて、前記第２のＩＰ電話機と前記第１のＩＰ電話機との間のセッション確立を要求するメッセージを前記第２のＩＰ電話機に前記第２のＩＰ電話機のＩＰアドレスを用いて送信して、前記第１のＩＰ電話機と前記第２のＩＰ電話機の間にセッションを確立するステップと、
前記第１と第２のＩＰ電話機の間でセッションが確立されたとき、前記第２の情報処理機器のＩＰアドレスを前記第１の情報処理機器に前記第１の情報処理機器のＩＰアドレスを用いて通知し、前記第１の情報処理機器のＩＰアドレスを前記第２の情報処理機器に前記第２の情報処理機器のＩＰアドレスを用いて通知するステップと、
を実行させるよう動作可能なプログラム。
【請求項８】
ＩＰネットワークに接続されたＩＰ電話機において、呼の制御および管理を行う呼制御管理情報処理装置に前記ＩＰ電話機に対応づけられる特定の情報処理機器のＩＰアドレスを登録する方法であって、
前記ＩＰ電話機に対応づけられる前記特定の情報処理機器のＩＰアドレスの登録指示の入力を受け取り、
前記ＩＰ電話機に対応づけられる前記特定の情報処理機器のＩＰアドレスを取得し、
前記ＩＰネットワークを介して、呼を制御し管理する呼制御管理情報処理装置に接続して、前記特定の情報処理機器のＩＰアドレスを、前記呼制御管理情報処理装置に送信して、前記呼制御管理情報処理装置に前記ＩＰ電話機のユーザ識別子およびＩＰアドレスと対応づけて登録すること、
を特徴とする登録方法。
【請求項９】
ＩＰネットワークに接続された呼制御管理情報処理装置において、ＩＰネットワークを介して接続された第１のＩＰ電話機と第２のＩＰ電話機の間にセッションを確立し、前記ＩＰネットワークを介して接続された前記第１のＩＰ電話機に関連する第１の情報処理機器と前記第２のＩＰ電話機に関連する第２の情報処理機器との間にセッションを確立する方法であって、
第１のＩＰ電話機、前記第１のＩＰ電話機に関連する第１の情報処理機器、第２のＩＰ電話機、および前記第２のＩＰ電話機に関連する第２の情報処理機器の各ＩＰアドレスを、それぞれ前記第１と第２のＩＰ電話機のそれぞれ第１と第２のユーザ識別子と対応付けて記憶手段に格納し、
前記第１のＩＰ電話機から前記第２のＩＰ電話機の前記第２のユーザ識別子を受け取ったとき、前記第１と第２のユーザ識別子に基づいて、前記第２のＩＰ電話機と前記第１のＩＰ電話機との間のセッション確立を要求するメッセージを前記第２のＩＰ電話機に前記第２のＩＰ電話機のＩＰアドレスを用いて送信して、前記第１のＩＰ電話機と前記第２のＩＰ電話機の間にセッションを確立し、
前記第１と第２のＩＰ電話機の間でセッションが確立されたとき、前記第２の情報処理機器のＩＰアドレスを前記第１の情報処理機器に前記第１の情報処理機器のＩＰアドレスを用いて通知し、前記第１の情報処理機器のＩＰアドレスを前記第２の情報処理機器に前記第２の情報処理機器のＩＰアドレスを用いて通知すること、
を特徴とする方法。
【手続補正２】
【補正対象書類名】明細書
【補正対象項目名】０００１
【補正方法】変更
【補正の内容】
【０００１】
本発明は、ＩＰネットワーク上でのＩＰ電話機の接続に関し、特に、ＩＰネットワーク上でＩＰ電話機とそれに対応する情報処理機器とを呼制御管理サーバを用いて、まずＩＰ電話機間でセッションを確立し、続いて各ＩＰ電話に対応する情報処理機器間のＰ２Ｐのセションを確立させるシステムに関する。
【手続補正３】
【補正対象書類名】明細書
【補正対象項目名】００１１
【補正方法】変更
【補正の内容】
【００１１】
本発明のさらに別の特徴によれば、呼制御管理情報処理装置は、ＩＰネットワークを介して接続された第１のＩＰ電話機と第２のＩＰ電話機の間にセッションを確立し、そのＩＰネットワークを介して接続されたその第１のＩＰ電話機に関連する第１の情報処理機器とその第２のＩＰ電話機に関連する第２の情報処理機器との間にセッションを確立させるものであり、その呼制御管理情報処理装置は、その第１と第２のＩＰ電話機およびその第１と第２の情報処理機器のＩＰアドレスを、それぞれその第１と第２のＩＰ電話機のそれぞれ第１と第２のユーザ識別子と対応付けて格納する記憶手段と、その第１のＩＰ電話機からその第２のＩＰ電話機のその第２のユーザ識別子を受け取ったとき、その第１と第２のユーザ識別子に基づいて、その第２のＩＰ電話機とその第１のＩＰ電話機との間のセッション確立を要求するメッセージをその第２のＩＰ電話機にその第２のＩＰ電話機のＩＰアドレスを用いて送信して、その第１のＩＰ電話機とその第２のＩＰ電話機の間にセッションを確立する手段と、その第１と第２のＩＰ電話機の間でセッションが確立されたとき、その第２の情報処理機器のＩＰアドレスをその第１の情報処理機器にその第１の情報処理機器のＩＰアドレスを用いて通知し、その第１の情報処理機器のＩＰアドレスをその第２の情報処理機器にその第２の情報処理機器のＩＰアドレスを用いて通知する手段と、を具えている。
【手続補正４】
【補正対象書類名】明細書
【補正対象項目名】００２０
【補正方法】変更
【補正の内容】
【００２０】
ＩＰ電話機２０または７０のプロセッサ２２は、ＩＰネットワーク１０に接続された際に、ＩＰ電話機２０または７０のＩＰアドレスの登録、および、情報処理機器３０〜４４または８０〜９４の各々のＩＰアドレスを呼制御管理サーバ１００へ登録する作業を行う。
【手続補正５】
【補正対象書類名】明細書
【補正対象項目名】００２１
【補正方法】変更
【補正の内容】
【００２１】
図５Ａおよび５Ｂは、ＩＰ電話機２０および７０の各々のプロセッサ２２によって実行される、ＩＰ電話機２０または７０およびそれに関連する情報処理機器３０〜４４または９０〜９４のＩＰアドレス登録のためのフローチャートを示している。
【手続補正６】
【補正対象書類名】明細書
【補正対象項目名】００２２
【補正方法】変更
【補正の内容】
【００２２】
図５Ａを参照すると、ステップ４０２において、ＩＰ電話機２０または７０のプロセッサ２２は、ユーザによって登録のためのキー（２６２）が操作されたとき、ＩＰネットワーク１０を介して呼制御管理サーバ１００に接続して、そのＩＰ電話機のＩＰアドレス（例えば、１０．１０．１０．１）等を呼制御管理サーバ１００に登録しまたは更新する。呼制御管理サーバ１００のプロセッサ１０２は、ユーザ識別子としてのそのＩＰ電話機の登録名およびＩＰアドレス等を記憶装置１０３内の登録テーブルに格納しまたは更新する。その後、ステップ４０４において、プロセッサ２２はＩＰ電話機２０または７０のＩＰアドレスが変更されたかどうかを判定する。ＩＰアドレスが変更されるまでステップ４０４が繰り返される。ステップ４０４においてＩＰアドレスが変更されたと判定された場合は、手順はステップ４０２に進む。このようにして、ＩＰ電話機２０および７０のＩＰアドレスが更新されたときは、呼制御管理サーバ１００におけるＩＰ電話機２０および７０の登録テーブルのエントリも更新される。
【手続補正７】
【補正対象書類名】明細書
【補正対象項目名】００２７
【補正方法】変更
【補正の内容】
【００２７】
ステップ４１４において、ＩＰ電話機２０または７０のプロセッサ２２は、ＩＰ電話機２０または７０をＩＰネットワーク１０を介して呼制御管理サーバ１００に接続して、その対応する情報処理機器３０〜４４または８０〜９４のＩＰアドレス（例えば、１０．１０．１０．２または２０．２０．２０．２）を、ＩＰ電話機２０または７０のユーザ識別子としての登録名（例えば、ＩＰｔｅｌ−１）およびＩＰアドレス（例えば、１０．１０．１０．１）と関連づけて呼制御管理サーバ１００に登録する。呼制御管理サーバ１００のプロセッサ１０２は、ＩＰ電話機２０または７０から受信したそのＩＰ電話機２０または７０の登録名に関連づけて情報処理機器３０〜４４または８０〜９４のＩＰアドレス、機器のタイプ、および判定条件および優先順位（例えば、１、２、３）を記憶装置１０３内の登録テーブルに格納しまたはそれを更新する。
【手続補正８】
【補正対象書類名】明細書
【補正対象項目名】００３０
【補正方法】変更
【補正の内容】
【００３０】
その後、ステップ４１６において、プロセッサ２２は、周期的に、例えば３０秒の周期で、ＩＰ電話機２０または７０をＩＰネットワーク１０を介して接続し、登録した情報処理機器３０〜４４または７０〜９４に対してそれらの格納したＩＰアドレス（２０．２０．２０．２または１０．１０．１０．３）を用いてポーリングする。ステップ４１８において、プロセッサ２２は、情報処理機器３０〜４４または７０〜９４から応答を受信したかどうかを判定する。応答を受信したと判定されたときは、手順はステップ４１６に戻る。
【手続補正９】
【補正対象書類名】明細書
【補正対象項目名】００３２
【補正方法】変更
【補正の内容】
【００３２】
ステップ４１２において、情報処理機器３０〜４４または８０〜９４（プロセッサ３２）は、それぞれの自己のＩＰアドレスが変更されたときにも、対応するＩＰ電話機２０または７０のＩＰアドレスを用いてそのＩＰ電話機２０または７０に接続し、情報処理機器３０〜４４または７０〜９４の変更されたＩＰアドレスをＩＰ電話機２０および７０に送信し、プロセッサ２２が記憶装置２３にその変更されたＩＰアドレスを格納する。
【手続補正１０】
【補正対象書類名】明細書
【補正対象項目名】００４４
【補正方法】変更
【補正の内容】
【００４４】
図８Ａを参照すると、手順６２２において、呼制御管理サーバ１００（プロセッサ１０２）は、ＳＩＰメッセージ６２３をＩＰ電話機７０にそのＳＩＰ  ＵＲＩを用いて送信する。ＳＩＰメッセージ６２３はＳＩＰメッセージ５２３と同様の項目を含んでいる。その呼が着信し、即ちＩＰ電話機７０（プロセッサ２２）は、そのＳＩＰメッセージ５２３を受信し、その受信に応答してスピーカ２８５を介して呼び出しを行い即ち着信音またはビープ音を発生する。手順６２４において、呼制御管理サーバ１００（プロセッサ１０２）は、呼び出し要求を処理中であることを示すＳＩＰメッセージ（ステータス・ラインとして１００  Ｔｒｙｉｎｇを含む）をＩＰ電話機２０に送信し返す。
【手続補正１１】
【補正対象書類名】明細書
【補正対象項目名】００４５
【補正方法】変更
【補正の内容】
【００４５】
手順７２６において、呼の着信に応答して、ＩＰ電話機７０（プロセッサ２２）は、呼び出し中であることを示すＳＩＰメッセージ（１８０  Ｒｉｎｇｉｎｇ）を呼制御管理サーバ１００に送信し返す。手順６２６において、呼制御管理サーバ１００（プロセッサ１０２）は、そのＳＩＰメッセージ（１８０  Ｒｉｎｇｉｎｇ）の受信に応答して、呼び出し中であることを示すＳＩＰメッセージ（１８０  Ｒｉｎｇｉｎｇ）をＩＰ電話機２０に送信する。そのＳＩＰメッセージ（１８０  Ｒｉｎｇｉｎｇ）の受信に応答して、ＩＰ電話機２０（プロセッサ２２）は、ＩＰ電話機７０がオフフックするまで呼び出し音を発生し続ける。
【手続補正１２】
【補正対象書類名】明細書
【補正対象項目名】００４６
【補正方法】変更
【補正の内容】
【００４６】
ＩＰ電話機７０のユーザがＩＰ電話機７０をオフフックすると、手順７２８において、ＩＰ電話機７０（プロセッサ２２）は、オフフックを示すＳＩＰメッセージ（２００  ＯＫ）を呼制御管理サーバ１００に送信する。発呼側と同様に、ＩＰ電話通話時に情報処理機器間のセッション確立が不要な場合には、そのメッセージのボディとして “セッション確立不可”という情報を含ませることもできる。手順６２８において、呼制御管理サーバ１００（プロセッサ１０２）は、そのＳＩＰメッセージ（２００  ＯＫ）の受信に応答して、オフフックを示すＳＩＰメッセージ（２００  ＯＫ）をＩＰ電話機２０に送信する。
【手続補正１３】
【補正対象書類名】明細書
【補正対象項目名】００５０
【補正方法】変更
【補正の内容】
【００５０】
例えば、判定条件として“相手情報処理機器のディスプレイの解像度が８００ｘ６００以下の場合には、セッション確立不可”という判定条件がどちらか一方に設定されており、その通信相手の情報処理機器がディスプレイ解像度３２０ｘ２４０のＰＤＡであった場合には、双方の情報処理機器に対してＩＰアドレスの通知を行わない。また、呼制御管理サーバ１００内に共通の判定基準を設けてもよい。例えば、“双方の情報処理機器が共通のアプリケーションを保有していない場合にはセッション確立を行わない”という判定条件を呼制御管理サーバ１００における共通の制御条件として設定してもよい。この場合、情報処理機器間で共通のアプリケーションを持たない場合には、呼制御管理サーバは情報処理機器間でＩＰアドレスの通知は行わない。
【手続補正１４】
【補正対象書類名】図面
【補正対象項目名】図５Ｂ
【補正方法】変更
【補正の内容】
【図５Ｂ】
2006319697.tif 000001
【手続補正１５】
【補正対象書類名】図面
【補正対象項目名】図６
【補正方法】変更
【補正の内容】
【図６】
2006319697.tif 000002
【手続補正１６】
【補正対象書類名】図面
【補正対象項目名】図８Ａ
【補正方法】変更
【補正の内容】
【図８Ａ】
2006319697.tif 000003
【手続補正１７】
【補正対象書類名】図面
【補正対象項目名】図８Ｂ
【補正方法】変更
【補正の内容】
【図８Ｂ】
2006319697.tif 000004